(57)【要約】  本発明は、外部制御によって作動させることができるガス発生器にそれぞれ関連する少なくとも１つの膨張式安全構造体（１）を含む保護システムに関し、前記外部制御は、衝撃の予測情報に対応する、車両（５０）の重要な安全機能を制御する役割を担う自動化されたシステムからの電気信号を含み、前記ガス発生器は、膨張式構造体（１）の膨張の全持続時間が５０ミリ秒よりも長く、膨張式構造体が密封されるような期間にわたってガスを発生するように構成されることを特徴とする。
2020518516.tif 000002
【特許請求の範囲】
【請求項１】
車両または移動性構成要素のための保護システムであって、
車両（５０）または移動性構成要素に装備され、外部制御によって作動させることができる少なくとも１つのガス発生器に関連する少なくとも１つの膨張式安全構造体（１、１０、１００、１１０）を備える保護装置と、
車両（５０）または移動性構成要素の重要な安全機能を制御する役割を担う自動化されたシステムと、を含み、
前記外部制御は、前記自動化されたシステムからの、衝撃の予測情報に対応する電気信号を含み、
ａ）前記自動化されたシステムは、前記衝撃の前及び衝撃の間に受信された情報に基づいて、膨張式構造体の作動を、単独で、又は車両若しくは移動性構成要素の他の保護装置と組み合わせて、適時に制御するように構成されており、
ｂ）前記ガス発生器は、膨張式構造体の膨張の全持続時間が５０ミリ秒よりも長くなるような期間にわたってガスを発生させるように構成されており、
ｃ）前記膨張式構造体（１、１０、１００．１１０）は、密封されている、ことを特徴とする保護システム。
【請求項２】
前記膨張式構造体は、少なくとも１つの圧力調整された通気口を備えるか、または前記構造体の収縮を調整する前記自動化されたシステムによって電子的に調整されることを特徴とする、請求項１に記載の保護システム。
【請求項３】
前記膨張式構造体（１、１０、１００、１１０）は、配置位置において管状形状をとる少なくとも１つの一連のバッグ（２）からなり、前記バッグ（２）は、横方向に組み立てられ、互いに流体連通していることを特徴とする、請求項１または２に記載の保護システム。
【請求項４】
前記自動化されたシステムによって調整される１つ以上の通気口によって流体連通が提供されることを特徴とする、請求項３に記載の保護システム。
【請求項５】
前記バッグ（２）が母線にしたがって組み立てられることを特徴とする、請求項３または４に記載の保護システム。
【請求項６】
前記バッグ（２）間の距離が前記バッグ（２）の直径よりも小さいことを特徴とする請求項５に記載の保護システム。
【請求項７】
前記膨張式構造体（１、１０、１００、１１０）が、２つのキャンバスから作られ、母線に沿って溶接された少なくとも１つの一連のバッグ（２）からなることを特徴とする、請求項１〜６のいずれか１項に記載の保護システム。
【請求項８】
前記膨張式構造体（１、１０、１００、１１０）が、前記アセンブリの一端において前記一連の管状バッグに対して横方向に延在する、配置位置において管状形状をとる補強バッグをさらに備えることを特徴とする、請求項３〜７のいずれか１項に記載の保護システム。
【請求項９】
前記補強バッグが前記膨張式構造体（１、１０、１００、１１０）に沿って横方向に延在することを特徴とする、請求項８に記載の保護システム。
【請求項１０】
前記膨張式構造体（１、１０、１００、１１０）が、配置位置で管状形状をとり、前記アセンブリの他端で前記一連の管状バッグに対して横方向に延在する追加の保護バッグを備えることを特徴とする、請求項３〜７のいずれか１項に記載の保護システム。
【請求項１１】
前記追加の保護バッグは、異方性の厚さを有することを特徴とする請求項１０に記載の保護システム。
【請求項１２】
前記膨張式構造体（１、１０、１００、１１０）が、配置位置で管状形状をとり、モジュール内のガス発生器で前記一連の管状バッグに対して横方向に延在する追加の保護バッグを備えることを特徴とする請求項３〜１１のいずれか１項に記載の保護システム。
【請求項１３】
補強バッグ（３）および／または追加の保護バッグが、前記一連の管状バッグの少なくとも１つと流体連通し、前記流体連通は、必要であれば、自動化されたシステムによって調節される複数の通気口によって保証されることを特徴とする、請求項８〜１２のいずれか１項に記載の保護システム。
【請求項１４】
前記バッグが、前記膨張式構造体の形状を確保する布地マトリックス内に収容されることを特徴とする、請求項３〜１３のいずれか１項に記載の保護システム。
【請求項１５】
前記バッグの全部または一部が母線に沿って異方性厚さを有することを特徴とする請求項３〜１４のいずれか１項に記載の保護システム。
【請求項１６】
前記膨張式構造体（１、１０、１００、１１０）および前記ガス発生器が、前記車両（５０）の前部に配置されたモジュール内で調整され、前記膨張式構造体が前記車両（５０）の正面に向かって部分的に延在して、人が前記車両（５０、１００、１１０）と直接接触することを回避するように配置されることを特徴とする、請求項１〜１５のいずれか１項に記載の保護システム。
【請求項１７】
前記車両（５０）の前部に配置された前記モジュールは、前記自動化されたシステムが向き、トリム、および軸方向位置を変更することを可能にする関節式装置上に配置されることを特徴とする請求項１６に記載の保護システム。
【請求項１８】
自動化されたシステムが、車両外部の人との衝撃が予測される場合に、前記様々な通気口（１つまたは複数）の前記膨張式構造体（１、１０、１００、１１０）の加圧を作動させて、前記膨張式構造体（１、１０、１００、１１０）の特性を衝撃特性に調整するように構成されることを特徴とする、請求項１〜１７のいずれか１項に記載の保護システム。
【請求項１９】
前記膨張式構成体（１、１０、１００、１１０）が、配置位置において円の管状円弧の形をとる２つの一連のバッグ（２）からなり、各一連のバッグ（２）が、横方向に組み立てられ、互いに流体連通し、各一連のバッグ（２）が、車両（５０）のシートおよび／またはヘッドレストの一方の側で一体化され、往復固定手段（６）を備えることを特徴とする、請求項１〜１８のいずれか１項に記載の保護システム。
【請求項２０】
前記膨張式構造体（１、１０）が、正面に衝撃があった場合に運転者または乗客を保護するための単一のバッグと、少なくとも１つの調整された通気口とからなることを特徴とする、請求項１〜１９のいずれか１項に記載の保護システム。
【請求項２１】
前記膨張式構造体（１、１０、１００、１１０）が一連のバッグからなり、前記一連のバッグの端部は、正面に衝撃があった場合に運転者または乗客を保護するために、ダッシュボードに、その長さよりも短い距離で固定されることを特徴とする、請求項１〜２０のいずれか１項に記載の保護システム。
【請求項２２】
前記膨張式構造体（１、１０、１００、１１０）が、天然または合成ゴム、ネオプレンまたはシリコーンでコーティングされたナイロン６Ｘ６、ポリウレタンで作られていることを特徴とする、請求項１〜２１のいずれか１項に記載の保護システム。
【請求項２３】
シリンダによって作動され、前記車両（５０）のバンパーの少なくとも１つと前記車両（５０）の固定部分との間に配置され、前記シリンダが前記自動化されたシステムによって制御される、少なくとも１つの緩衝器を備えることを特徴とする、請求項１〜２２のいずれか１項に記載の保護システム。
【請求項２４】
前記自動化されたシステムによって吸収力が制御される少なくとも１つの緩衝器を備えることを特徴とする、請求項１〜２３のいずれか１項に記載の保護システム。
【請求項２５】
前記自動化されたシステムによって作動され、５０ミリ秒を超える期間作動されることができる少なくとも１つのシートベルトプリテンショナを含むことを特徴とする、請求項１〜２４のいずれか１項に記載の保護システム。
【請求項２６】
前記保護システムが、前記シートに座っており、前記自動化されたシステムによって識別されることができる乗客の形態に応じて特性を調整することができる複数のエネルギー吸収体器と結合された前記シートの上部で複数のストラップをブロックするためのシステムを備えることを特徴とする、請求項１〜２５のいずれか１項に記載の保護システム。
【請求項２７】
前記自動化されたシステムが、１つまたは複数の膨張式構造体（１、１０、１００、１１０）を選択し、確立された予測情報にしたがって、前記構造体（１つまたは複数）、前記緩衝器のうちの少なくとも１つ、および／または前記シートベルトプリテンショナのうちの少なくとも１つに設けられる通気口（１つまたは複数）を制御するように構成されることを特徴とする、請求項１〜２６のいずれか１項に記載の保護システム。
【請求項２８】
前記個々の起動システムは、それらをリアルタイムでチェックするバスシステムによって接続されていることを特徴とする、請求項１〜２７のいずれか１項に記載の保護システム。
【請求項２９】
前記ガス発生器が、均質または複合固体噴射剤を収容する第１のチャンバと、少なくとも１つの酸化充填物と少なくとも１つの還元充填物との混合物からなる第２の組成物を収容する第２のチャンバとを備え、前記固体噴射剤がブロックを形成し、その濃度および化学的特性が、５０ミリ秒を超える時間での完全燃焼を保証するように調整されることを特徴とする、請求項１から２８のいずれか１項に記載の保護システム。
【請求項３０】
前記複合噴射剤が、主に重クロム酸アンモニウム（ＡＤＮ）からなる酸化充填物を有し、前記第２の組成物の酸化充填物が、主にＡＤＮからなることを特徴とする、請求項１〜２９のいずれか１項に記載の保護システム。
【請求項３１】
前記ガス発生器が、唯一の組成物として、５０ミリ秒を超える時間での完全燃焼を保証するように衝撃特性が調整された均質または複合噴射剤を含むことを特徴とする、請求項１〜３０のいずれか１項に記載の保護システム。
【請求項３２】
前記複合噴射剤が、主に重クロム酸アンモニウム（ＡＤＮ）からなる酸化充填物を有することを特徴とする、請求項１〜３１のいずれか１項に記載の保護システム。
【請求項３３】
前記ガス発生器が、少なくとも１つの酸化充填物と少なくとも１つの還元充填物との混合物からなる単一の組成物を含み、その分解が、５０ミリ秒を超える時間での完全なガス発生を保証するように構成された付勢装置によって制御されることを特徴とする、請求項１〜３０のいずれか１項に記載の保護システム。
【請求項３４】
前記酸化充填物が主に重クロム酸アンモニウムからなることを特徴とする、請求項１〜３３のいずれか１項に記載の保護システム。
【請求項３５】
単独でまたは前記ガス発生器に加えて使用することができる圧縮気体を発生させるための手段を含むことを特徴とする、請求項１〜３４のいずれか１項に記載の保護システム。
【請求項３６】
前記膨張式構造体の膨張の全持続時間が１００ミリ秒よりも長くなるような期間にわたってガスを発生させるように構成されていることを特徴とする、請求項１〜３５のいずれか１項に記載の保護システム。
【発明の詳細な説明】
【技術分野】
【０００１】
本発明は、外部制御システムによって作動させることができるガス発生器にそれぞれ関連する少なくとも１つの膨張式安全構造体を備える保護システムに関する。
【０００２】
本発明による保護システムは、特に自律車両を対象とするが、これには限定されない。
【背景技術】
【０００３】
保護システムは、典型的には、衝撃時に展開を作動させるガス発生器に関連したエアバッグと、シートベルトプリテンショナと、からなる。しかしながら、現在のエアバッグ及びシートベルトプリテンショナにおけるガス発生器は、大きな欠点を有する。
【０００４】
第１に、それらの起動は、衝撃自体によって引き起こされる。事象の検出時間および保護システムの活性化は、１００分の数秒に短縮される。（検出のための１００分の１〜２秒、保護システムの起動のための１００分の１．５〜４秒、すなわち合計０．０６秒）。エアバッグおよびプリテンショナのこの迅速な実施は、損傷ではないにしても、保護の点で性能を低下させる可能性がある。実際に、エアバッグの迅速な展開は、乗客が通常の位置以外の位置を占有している場合、乗客にとって危険であり得る。これは、例えば、ハンドルに近すぎる人、またはダッシュボード上に腕または脚を置いている人に深刻な損傷を引き起こす可能性がある。次いで、エアバッグは、ナイロン製の軽量バッグであり、バッグが収縮することを確実にするために大きな通気孔を備えている。そのような通気孔の存在により、エアバッグは、１００分の２〜３（１／１００）秒の効率の「窓」を提供し、したがって、第１の衝撃に限定される。さらに、最も一般的な現在の技術は、ガス体積が１．５モルを超えることを可能にしない。したがって、その技術は、１００分の２〜３秒のガス発生時間に限定される。最後に、シートベルトの張力は、適切に位置決めされたときにのみ有効である。しかしながら、プレテンションでは、快適性の理由から乗客が生じさせる肩の部分の隙間を矯正することができない。
【０００５】
さらに、現在車両に使用されている保護システムは、本質的に、歩行者や自転車ではなく、車両の乗員を保護するためのシステムである。
【０００６】
これらの欠点を克服するために、特に、座席占有センサシステムによって提供される情報によって乗客の慣性質量を考慮して、エアバッグの調整された展開を可能にするための新しいガス発生器も研究されている。しかしながら、これらの保護システムは、今日まで、展開に関して不十分なままである。さらに、ガス発生器の起動は、衝撃自体に依存したままである。
【０００７】
歩行者保護システムもまた、特許ＥＰ２５９９６６９およびＵＳ８９８５６５２において提案されている。提供される装置は、外部、フロントガラス、または車両の正面側のバンパーに展開するエアバッグからなる。しかしながら、これらの保護システムも、歩行者保護の観点から不十分である。フロントガラスで展開されるシステムに関して、エアバッグの展開は、歩行者の車との衝突が条件になったままである。これは、歩行者の脚を保護するものではない。バンパー展開システムに関しては、エアバッグに対する衝突の後にボンネット上に歩行者が身を乗り出した場合に、歩行者保護を提供しない。最初の衝撃の後、保護は提供されない。
【０００８】
また、国際公開第０３／０５３７５１号には、車両のフロントバンパーの内側に配置され、バンパーの上方の領域に展開して、車両のグリルまたはボンネットに当たる人によって引き起こされたものであろう損傷を防止または軽減するように構成されたエアバッグシステムが記載されている。このエアバッグシステムは、衝撃が確実に予測されるとすぐに作動される。しかしながら、これは、次の衝撃が識別された時と衝撃が発生した時との間、及び衝撃自体の間に、保護システムの応答の調整を提供せず、従って、歩行者保護に関して不満足なままである。
【発明の概要】
【発明が解決しようとする課題】
【０００９】
本発明は、歩行者及び自転車の保護、並びに衝突時の車両乗員の保護を改善するための保護システムを提供することによって、これらの問題を改善することを目的とする。
【課題を解決するための手段】
【００１０】
この目的のために、また第１の態様では、本発明は、車両または移動性構成要素のための保護システムであって、車両または移動性構成要素に装備され、外部制御によって作動させることができる少なくとも１つのガス発生器に関連する少なくとも１つの膨張式安全構造体を備える保護装置と、車両５０または移動性構成要素の重要な安全機能を制御する役割を担う自動化されたシステムと、を含み、前記外部制御は、前記自動化されたシステムからの、衝撃の予測情報に対応する電気信号を含み、前記保護システムは、前記自動化されたシステムは、前記衝撃の前及び衝撃の間に受信された情報に基づいて、膨張式構造体の作動を、単独で、又は車両若しくは移動性構成要素の他の保護装置と組み合わせて、適時に制御するように構成されており、前記ガス発生器は、膨張式構造体の膨張（または展開）の全持続時間が５０ミリ秒、好ましくは１００ミリ秒よりも長くなるような期間にわたってガスを発生させるように構成されており、前記膨張式構造体は、密封されている、という点において注目すべき保護システムを提案する。
【００１１】
総膨張持続時間は、生成が連続的か単発的かに関わらず、膨張の完全な持続時間を指す。
【００１２】
密封されている、とは、減衰通気口がないことを意味する。他方では、少なくとも１つの圧力制御通気口（キャップ）、または前記構造体の収縮を調節する自動化されたシステムによって電子的に制御される通気口を、前記膨張式構造体に設けることができる。
【００１３】
その後、用語「車両」は、用語「移動性構成要素」を含む。
【００１４】
有利には、前記膨張式構造体は、少なくとも１つの圧力調整された通気口を備えるか、または前記構造体の収縮を調整する前記自動化されたシステムによって電子的に制御される。
【００１５】
有利には、前記膨張式構造体は、配置位置において管状形状をとる少なくとも１つの一連のバッグからなり、前記バッグは、横方向に組み立てられ、有利には調節されたまたは調節されていない通気口を介して、互いに流体連通している。特定の構成によれば、前記自動化されたシステムによって調整される１つ以上の通気口によって流体連通が保証される。
【００１６】
有利には、前記バッグは、母線に沿って組み立てられる。特定の構成によれば、前記バッグ間の距離は、前記バッグの直径よりも小さい。
【００１７】
有利には、前記膨張式構造体は、厚さが同じまたは異なる２つのキャンバスから作られ、母線に沿って密封された少なくとも１つの一連のバッグからなる。
【００１８】
有利には、前記膨張式構造体は、前記アセンブリの一端において前記一連の管状バッグに対して横方向に延在する、配置位置において管状形状の補強バッグを少なくとも有する。特定の実施形態によれば、前記補強バッグは、前記膨張式構造体に沿って横方向に延在する。
【００１９】
特に有利な構成では、膨張式構造体は、前記アセンブリの下端で一連の管状バッグに対して横方向に延在する補強バッグを有する。このバッグは、構造体に沿って横方向に延在することもできる。
【００２０】
有利には、前記膨張式構造体は、配置位置で管状形状をとり、前記アセンブリの上端で一連の管状バッグに対して横方向に延在する追加の保護バッグを備える。前記アセンブリは、配置位置から円弧位置に移動するように構成されている。有利には、前記追加の保護バッグは、異方性の厚さを有する。
【００２１】
有利には、膨張式構造体が、配置位置で管状形状であり、前記アセンブリの膨張モジュールで前記一連の管状バッグに対して横方向に延在する追加の補強バッグを備える。
【００２２】
有利には、補強バッグおよび／または追加の保護バッグが、前記一連のバッグ内の管状バッグのうちの少なくとも１つと流体連通し、前記流体連通は、必要であれば、調整された通気口によって保証される。
【００２３】
有利には、前記バッグは、前記膨張式構造体の形状を確保する布地マトリックス内に収容される。
【００２４】
有利には、前記バッグの全部または一部が母線に沿って異方性厚さを有する。
【００２５】
特定の実施形態によれば、前記膨張式構造体およびガス発生器は、前記車両の前部に配置されたモジュール内にパッケージ化され、前記膨張式構造体が前記車両の正面に向かって部分的に展開して、前記人と前記車両との直接接触を回避するように配置される。
【００２６】
有利には、自動化されたシステムが、車両外部の人との衝撃が予測される場合に、前記様々な通気口および前記膨張式構造体の加圧を作動させて、前記膨張式構造体の特性を衝撃特性に調整するように構成される。
【００２７】
有利には、前記車両の前部に配置された前記モジュールは、前記自動化されたシステムが向き、姿勢、および軸方向位置を変更することを可能にする関節式装置上に配置される。
【００２８】
別の特定の実施形態によれば、前記膨張式構成体は、配置位置において円の管状円弧の形である２つの一連のバッグからなり、各一連のバッグは、横方向に組み立てられ、互いに流体連通し、各一連のバッグは、車両のシートおよび／またはヘッドレストの一方の側で一体化され、往復固定手段を備える。そのように構成された構造体は、有利には、乗客を保護するように設計される。
【００２９】
有利には、前記膨張式構造体は、正面に衝撃があった場合に運転者または乗客を保護するための単一のバッグと、少なくとも１つの調整された通気口とからなる。
【００３０】
有利には、前記膨張式構造体は一連のバッグからなり、前記一連のバッグの端部は、正面に衝撃があった場合に運転者または乗客を保護するために、ダッシュボードに、その長さよりも短い距離で固定される。
【００３１】
有利には、前記膨張式構造体は、ポリ塩化ビニル、ポリイソブチレン、ポリウレタン、ネオプレン、ポリエチレン、ナイロン６Ｘ６被覆ネオプレンまたはシリコーン、ポリウレタンのような天然または合成ゴム、作られている。
【００３２】
有利には、保護システムは、シリンダによって作動され、前記車両のバンパーの少なくとも１つと車両の固定部分との間に配置され、前記シリンダが前記自動化されたシステムによって制御される、少なくとも１つの緩衝器を備える。
【００３３】
有利には、保護システムは、前記自動化されたシステムによって吸収力が制御される少なくとも１つの緩衝器を備える。
【００３４】
有利には、保護システムは、自動化されたシステムによって作動され、５０ミリ秒を超える期間作動されることができる少なくとも１つのシートベルトプリテンショナを含む。
【００３５】
有利には、前記自動化されたシステムは、１つまたは複数の膨張式構造体を選択し、確立された予測情報に基づいて、前記構造体（１つまたは複数）、前記緩衝器のうちの少なくとも１つ、および／または前記シートベルトプリテンショナのうちの少なくとも１つに設けられる通気口（１つまたは複数）を制御するように構成される。各膨張式構造体は、自動化されたシステムによってプログラムされた順序で展開するものと考えられる。
【００３６】
有利には、前記保護システムは、前記シートに着席しており、前記自動化されたシステムによって識別されることができる乗客の形態に応じて特性を調整することができる複数のエネルギー吸収体器と結合された前記シートの上部にストラップをロックするシステムを備える。
【００３７】
有利には、前記様々な起動システムは、配線、好ましくは前記起動システムをリアルタイムでチェックするバスシステムによって接続されている。
【００３８】
有利には、前記ガス発生器は、均質または複合固体噴射剤を収容する第１のチャンバと、少なくとも１つの酸化充填物と少なくとも１つの還元充填物との混合物からなる第２の組成物を収容する第２のチャンバとを備え、前記固体噴射剤はブロックを形成し、その濃度および化学的特性は、５０ミリ秒を超える時間での前記ガスの完全燃焼を保証するように調整される。有利には、複合噴射剤が、ＡＤＮ（重クロム酸アンモニウム）を主成分とする酸化充填物を有し、一方、第２の組成物は、主にＡＤＮを含有する酸化充填物を有する。「主（に）」とは、ＡＤＮの９０％以上を意味する。
【００３９】
有利には、前記ガス発生器は、唯一の均質または複合噴射剤として、５０ミリ秒を超える時間での完全燃焼を保証するように衝撃特性が調整された組成物を含む。有利には、複合推進薬の酸化充填物は、ＡＤＮ（重クロム酸アンモニウム）を主成分とする。
【００４０】
有利には、前記ガス発生器は、少なくとも１つの酸化充填物と少なくとも１つの還元充填物との混合物からなる単一の組成物を含み、その分解が、５０ミリ秒を超える時間での完全なガス発生を保証するように構成された付勢装置によって制御される。有利には、前記酸化充填物は、主にＡＤＮ（重クロム酸アンモニウム）を含有する。
【００４１】
有利には、圧縮ガスは、単独でまたは上述の発生器に加えて使用することができる。
【００４２】
保護システムは、特に自律車両と共に使用されることが意図されるが、これには限定されない。自律車両は、事故を回避するための事故予想に関して新たな機会を提供するが、事故が不可避である場合には、その重大度を低減する可能性を開くことによっても新たな機会を提供する。自律車両では、前方から前方への衝撃の可能性を、衝突より１５０ｍ手前で、すなわち、６０ｋｍ／ｈであれば約９秒前に、１２０ｋｍ／ｈであれば約４．５秒前に、検出することができる。
【００４３】
本発明はまた、車両の重要な安全機能を制御する役割を担い、５０ミリ秒を超える期間にわたって作動されることができる自動化されたシステムによって作動されるシートベルトプリテンショナを備える保護システムに関する。有利には、保護システムは、上述したように、膨張式構造体及びガス発生器を含む。有利には、保護システムは、シート上に着席しており、自動化されたシステムによって識別される乗客の形態にしたがって特性を調整することができる複数のエネルギー吸収体器と結合されたシートの上部にストラップをロックするシステムを含む。
【００４４】
本発明はまた、車両バンパーの少なくとも１つと車両の固定部分との間に配置された少なくとも１つの緩衝器を備える保護システムに関する。有利には、保護システムは、上述したように、膨張式構造体及びガス発生器を含む。
【図面の簡単な説明】
【００４５】
本発明のさらなる目的および利点は、添付の図面を参照してなされる以下の説明から明らかになるのであろう。
【図１】本発明による歩行者保護システムの例示的な実施形態による膨張式構造体を備える車両の模式図を表し、膨張式構造体は展開位置で示されている。
【図２】図１に示す膨張式構造体の詳細図である。
【図３】２つの組み立てられたキャンバスからなる膨張式構造体の例示的な実施形態を示す。
【図４ａ】非展開位置における、（円弧の形状で展開する）「シェル」膨張式構造体を構成するバッグのアセンブリの例を表す。
【図４ｂ】展開位置における、（円弧の形状で展開する）「シェル」膨張式構造体を構成するバッグのアセンブリの例を表す。
【図５】図１３に示されるような膨張式構造体の緩衝器または補強材Ｒを提供する膨張式構造体のバッグの図を表す。
【図６】（円弧の形状に拡張する）「シェル」膨張式構造体の構築のための管状袋構成の例を示し、構成の１つは、異方性「厚さ」管（「異方性」厚さは、母線に沿って変化する厚さを意味する）を提供する。供給通気口の遊びを通して、回転運動は発生器から進行する。
【図７】（円弧の形状に拡張する）「シェル」膨張式構造体の構築のための管状袋構成の例を示し、他の構成は、密接な折り畳みを提供する。供給通気口の遊びを通して、回転運動は発生器から進行する。
【図８】図３の構成のうちの１つにしたがってそれぞれ作製された、矩形の膨張式構造体の上面透視図を表す。
【図９】図３の構成のうちの１つにしたがってそれぞれ作製された、台形形状の膨張式構造体の上面透視図を表す。
【図１０】例えば、図３に示されるような湾曲した形状であるが、異なる厚さの２つのキャンバスを有する膨張式構造体の側面概略図を表す。
【図１１】膨張式構造体の上面図を示す。
【図１２ａ】歩行者を保護するために車両と共に使用される図１１および図２の膨張式構造体を表し、この構造は、図１１に示されるバッグＢを作動させることによって、閉位置における展開位置ａに表される。
【図１２ｂ】歩行者を保護するために車両と共に使用される図１１および図２の膨張式構造体を表し、この構造は、図１１に示されるバッグＢを作動させることによって、閉位置における展開位置ｂに表される。
【図１３】異なる構成における膨張式構造体の上面図を表し、膨張式構造体は４つの独立した部分、すなわち、図１１の部分Ａと実質的に同一である部分Ａ’およびＡ’’、図１１の構造体Ｂと同一である構造体Ｂ’、および膨張式構造体を強化するための構造体Ｒからなる。
【図１４】発生器および膨張式構造体が収容されるモジュールを示し、発生器は膨張式構造体の中心にあり、構造体の２つの部分は、各部分が独立して展開するように折り畳まれ、巻かれる。
【図１５ａ】本発明による保護システムの別の例示的な実施形態による膨張式構造体を装備した車両シートの側面図を示す。
【図１５ｂ】本発明による保護システムの別の例示的な実施形態による膨張式構造体を装備した車両シートの正面図を示す。
【図１６】図１５ａおよび図１５ｂに示す膨張式構造体の詳細図である。
【００４６】
より明確にするために、異なる実施形態の同一または類似の要素は、すべての図において同一の参照符号によってマークされる。
【発明を実施するための形態】
【００４７】
以下の図面に関連して、少なくとも１つの膨張式安全構造体を備え、各構造体が少なくとも１つのガス発生器とそれぞれ関連付けられている保護装置を備える車両を装備するための保護システムが記載される。保護システムは、関連するガス発生器の作動によって膨張式構造体の展開を、ならびに車両が装備する他の保護装置の展開を制御する自動化されたシステムを備える。車両またはその部品の１つに装備された膨張式構造体のみが示されている。
〔膨張式構造体および他の保護装置を制御するための自動化されたシステム〕
自動化されたシステムは、保護システムを装備した車両の重要な安全機能を制御する役割を担い、前記保護システムは、重要な安全機能として、障害物の時間および性質における衝撃の予測情報に対応する。
【００４８】
より具体的には、自動化されたシステムは、衝撃が時間および性質において予測されたか否かを確立するために、車両および車両環境に関する車両自動操縦システムまたは運転者支援システムからの情報を分析するための手段を含む。車両によって受信されるすべての情報は、関与するすべての車両の位置および速度、人または障害物の位置など、車両の外側に関する情報、および各乗客の位置および体格、子供、椅子に座る赤ん坊の存在など、車両の乗員に関する情報である。
【００４９】
自動化されたシステムはまた、衝撃の予測が、障害物、膨張式構造体（複数可）、及び人への衝撃の影響を最小限にすることを可能にする他の適切な保護装置の時間及び性質において確立されるとき、受信され分析された情報に基づいて作動すべき制御ユニットを含むべきである。車両とその環境の情報の受信・分析は、継続的に行われる。自動化されたシステムは、その人工知能を通じて、車両が装備している１つまたは複数の保護装置の組み合わせの空間および時間（時空間）における起動を制御することによって、衝撃の前および間に受信された情報から保護システムの応答を調整する。したがって、自律車両制御システムまたは移動システムの運転支援システムの様々なセンサによって危機的事象の前および最中に受信されたすべての情報の分析のおかげで、自動化されたシステムは、各事故構成に特定の応答を適応させる。
【００５０】
いわゆる予測情報を特徴付ける収集され分析された情報に応じて、自動化されたシステムは、歩行者および自転車のための保護を構成する膨張式構造体、車両シート（乗客シート、チャイルドシートまたはベビーシート）を装備させる膨張式構造体、正面または横方向の膨張式構造体、１つまたは複数のベルトプリテンショナ、前方緩衝器、後方緩衝器から選択される、車両が装備する保護要素の１つまたは組合せの起動を制御する。保護要素の例を以下に示す。
【００５１】
自動化されたシステムは、数秒または数分の１秒以内に有害事象が発生したときに、緊急事態を回避または停止するためのすべての決定を行った後に、保護システムを作動させる、基本的なシステム位置特定および分析システムの下流で動作する。また、自動化されたシステムは、保護システムの性能を最適化するために、前もって操作をトリガすることも予見され得る。
【００５２】
例えば、自動化されたシステムは、特に有利な実施形態によれば、衝撃の構成を最適化するために、車両軌道または歩行者保護モジュールの指示に介入することができる。これは、特に、関係する車両が、障害物に垂直な位置が前方膨張式構造体を完全に有効にすることを可能にする自動二輪車である場合に当てはまる。
【００５３】
有利には、自動化されたシステムは、全ての乗客が常にシートベルトを着用することを保証する。これによって、車両の全ての乗員がシートベルトを締め付けたわけではないことが検出されたときに、車両が始動すること、または少なくとも運転することを防止することができる。
【００５４】
有利には、異なる起動システムがワイヤによって接続され、好ましくは、リアルタイムでそれらのワイヤをチェックするバスシステムによって接続される。有利には、各車両のための具体的なフローチャートは、様々な保護装置（膨張式構造体又は他のもの）を最適化することを可能にする。
〔膨張式構造体〕
使用される膨張式構造体は、一緒に組み立てられ、制御された通気口を介して互いに連通する、密封されたバッグを含む。従って、全ての運転段階中の熱及びガスの損失は制限され、一方、流出物及びあらゆるダストはバッグ内に保持される。バッグ中に保持された流出物を処理するために、バッグに添加剤（ホップカライト、タルク、酸化亜鉛など）を添加することも必要であり得る。「バッグに添加される添加剤」とは、袋の構造自体に含有されるか、またはその内部に配置される添加剤をいう。制御された通気口は、様々な形態をとることができる。それらは、較正された孔、ゲート、または所定の圧力での同様の開口部などの自動通気口であるか、または火工装置、バルブ、または同様のものにさらされる膜などの制御された通気口であることが可能である。別の特定の実施形態によれば、通気口は、独立したガス発生器に置き換えることができる。有利には、異なるエアバッグ間の通気口は、チェック装置を備えることができる。
【００５５】
膨張式構造体が意図される用途に応じて、横方向に一緒に組み立てられ、制御された通気孔を介して互いに流体連通する複数のバッグによって形成される膨張式構造体を使用することが好ましく、前記バッグは、膨張式構造体に関連するガス発生器を作動させることによって、展開位置において管状の形状をとる。特定の有利な構成によれば、バッグは展開位置において適合された長さを有する直径３〜６ｃｍの管を形成し、２つの連続する管の間の距離は、それらの半径未満である。それらは、好ましくは必要に応じて０．１２〜０．２０絶対ＭＰＡ、好ましくは０．１４＋／−０．０２絶対ＭＰＡで加圧される。以下に記載されるバージョンでは、「長い」膨張時間のために、現在の技術と比較して最大１０倍長く、バッグ材料は比較的厚くなり得る。それらは、ＰＶＣ（ポリ塩化ビニル）またはＺｏｄｉａｃ（登録商標）タイプの膨張式ボートを製造するために使用されるタイプの任意の他の材料から製造することができる。ネオプレンもしくはシリコーンコーティングされたナイロン６×６、またはポリウレタンなどの他の材料も可能である。特定の構成によれば、膨張式構造体は、内部に複数の管状バッグが配置される布地で作られたマトリックスを有する。マトリックスは、膨張式構造体の形状を画定するように配置される。布地マトリックスは、バッグの機械的保護の必要性および所望の形状に合わせて調整される。この構成によれば、バッグは、ネオプレンもしくはシリコーンコーティングされたナイロン６×６、またはポリウレタンからなることが有利である。
【００５６】
各管状バッグは、好ましくは管状バッグと同じ材料の布地のストリップによって直接隣接するバッグに接続される。特定の例示的な実施形態によれば、６センチメートルの管状バッグの場合、布地ストリップは、４センチメートルの幅である。布地ストリップは、複数の接合領域５を画定する。
【００５７】
膨張式構造体は、好ましくは同じ材料の、互いに固定された２つの重ね合わされた布地ストリップから作られることが有利である。図３は、多管構造の例示的な実施形態を示す。管状バッグは、２つの布地ストリップ（図４ａ、４ｃ）によって、または一方のストリップのみによって予備成形される。ストリップは、対称的または非対称的に分布させることができる。後者の場合、２つの折り目の間の距離は、管の間の距離だけ増加させた管の直径に等しい。直径６ｃｍの管および４ｃｍの接合領域の場合、２つの折り目の間の距離は１０ｃｍである。
【００５８】
有利には、２つの布地ストリップは、接合領域で溶接または接着される。シーリング７または接着は、バッグ（通気口８）間の横方向の連通を作り出し、したがって膨張中のガスの分布、したがって圧力のバランスを保証するように、接合領域５のそれぞれで不連続に実施されることが有利である（図８）。
【００５９】
上記において、接合領域５および管状バッグ２は、それぞれ一定の幅および直径を有する。したがって、膨張式構造体は、実質的に平坦で矩形の形状を有する。必要に応じて、図９に示すように、有利には、台形形状を有する膨張式構造体を設けることができる。これを行うために、膨張式構造体は、増加する幅を有する複数の接合領域５０と、異方性の厚さを有する（厚さが母線に沿って変化する）管状バッグ２０とを含む。また、図１０に示すように、有利には、湾曲形状の膨張式構造体を設けることができる。この場合、膨張構造体の上布は、下布よりも剛性が高い。形状または曲率の必要性に応じて、管の厚さ、接合領域の幅、および使用される織物の種類が決定されることが理解される。
【００６０】
有利には、これらの構成は、構造体が互いに連通する管状バッグのみからなるか、またはその内部に配置された管状バッグによって成形された生地マトリックスからなるかにかかわらず、実施され得る。
【００６１】
膨張式構造体が意図される保護に応じて、それらは、平坦なカーテンタイプの構成を有してもよく（その一例が図２に示されている）、または図９、１２、および１５に示されているタイプのシェルタイプの構成を有していてもよい。
【００６２】
「平坦な」構成は、歩行者保護または横方向保護のために好ましい。「シェル」構成は、車両５０の乗員の保護のため、または緩衝器のために好ましい。しかしながら、もちろん、いずれの保護のためにも、平坦な構成またはシェル構成を使用できることは明らかである。図１２は、歩行者保護のためのシェル構成を示す。
【００６３】
シェル構成は、チューブ間の距離を直径よりも小さくして、母線に沿ってチューブを組み立てることによって得られる（図４ａ、４ｂ、７）。バッグを膨張させるとき、バッグのアセンブリおよび互いに対する配置によって、バッグは曲がる。「シェル」構成は、母線に沿った厚さの変化（異方性厚さ）を提供することによっても得ることができる（図６）。前述のように、バッグは、加圧されると、曲がる。図５に示す別の実施形態によれば、管状バッグが円弧状に展開するように、管状バッグの長さよりも短い距離にわたって管状バッグをブロックするように計画することもできる。このような構成は、緩衝器を形成するために、または歩行者バッグを補強するために有利に実施される。
【００６４】
図１および図２は、歩行者および自転車を保護するために使用される膨張式構造体１の一例を示す。
【００６５】
膨張式構造体１及び関連するガス発生器１１は、便宜上、車両５０の前部に配置される。図１に示す例では、２つの部品は、車両５０のバンパー５１上に配置されたモジュール内に配置されている。それらは、グリル上に配置することもできる。図１４に示されるモジュールは、膨張式構造体の別の構成に関連して以下に説明される。構成にかかわらず、２つの部分は、自動化されたシステムによって衝撃が予測される場合に、膨張式構造体１が図１に示されるように、車両５０の正面に向かって、バンパーの全部または一部の上に展開するように配置される。したがって、膨張式構造体１は、展開位置において、車両５０を越えて車両の正面に向かって延びる部分と、グリルを覆い、ボンネットの上方に延びる第２の部分とを含む。前部は有利には車両５０の１メートルから＋／−０．５メートル前方に前進し、その結果、歩行者の車両との最初の衝撃は、膨張式構造体１上で行われる。図示の構成では、膨張式構造体１がボンネットの半分のみにわたって延在するように寸法決めされている。もちろん、本発明の範囲を逸脱することなく、特に第２の部分が車両５０のフロントガラスまで延在するような寸法にするために、異なる寸法を設けることができる。したがって、歩行者衝撃は、車両５０に対して垂直位置ではなく、ある角度で行われる。これにより、車両５０のグリルへの衝撃が大幅に低減される。
【００６６】
有利には、歩行者および自転車を保護するための膨張式構造体１は、横方向に組み立てられ、互いに流体連通している一連のバッグ２からなる。図２は、そのような膨張式構造体１の一例を示しており、バッグ２は、それぞれ展開位置でそれを構成している。
【００６７】
図示の実施形態では、膨張式構造体１は、２．２ｍ×１．４ｍの寸法を有するＰＶＣバッグである。これは、展開位置でそれぞれ管状形状をとることができる１６個のバッグ２からなる。各バッグは、０．１５ＭＰＡの圧力に膨張されると、展開位置において直径６ｃｍおよび長さ２．２０ｍを有する。バッグ２は、互いに平均３ｃｍ離れている。
【００６８】
この構造体はまた、並置された管状バッグ２の組に対して横方向に延在する補強バッグ３と呼ばれる補完バッグを含み、これは、下部分において、膨張式構造体１が展開されたときに車両５０に対する位置決めに関して前記組の前部とも呼ばれる。補強バッグは、アセンブリの並置された管状バッグ２の少なくとも１つと流体連通している。並んで固定された一連のバッグ２に取り付けられた補強バッグは、膨張式構造体１の前部を補強するために使用される。所与の例示的な実施形態によれば、補強バッグ３は、展開位置において、直径６ｃｍ、長さ１．４ｍの管状形状を有する。
【００６９】
後者の頂部において並置された管状バッグ２の組に対して横方向に延在する追加の保護バッグを設けることもできる（図１１）。所与の例示的な実施形態によれば、追加の保護バッグは、展開位置において、補強バッグ３の寸法と同一の寸法、すなわち、直径６ｃｍ、長さ１．４ｍの管状形状を有する。母線に沿って可変の厚さを有し、バッグに対して二倍であり、外側は一倍である。上部に配置された追加のバッグは、一連のバッグ２からなる保護セットを「閉じる」機能を有する。これを行うために、追加のバッグは、加圧されたときに湾曲し、したがって、歩行者を車両上に保持するためのシェルとして作用するように、異方性の厚さを有する。追加のバッグは、一連のバッグ２から較正されたオリフィスを通して、もしくは、自動化されたシステムまたは別の装置によって制御される独立したガス発生器によって膨張される。
【００７０】
図示されていないが、追加のバッグは、膨張式構造体の中央のモジュール内に配置され、並置された管状バッグ２の組に対して横方向に延びるガス発生器の周りに設けられてもよい。
【００７１】
ガス発生器１１は、歩行者保護のために膨張式構造体１と共に有利に使用され、以下の表に定義される特性を有する。
【００７２】
【表１】
2020518516.tif 000003
【００７３】
プリルとは、粉末組成物が集合して多孔質粒子となったものである。プリルは、混合物を気体状態で急冷することによって、または液体混合物を急速に蒸発させることによって得られる。
【００７４】
展開は、衝撃の瞬間の前に行われることを理解されたい。例えば、３５ｋｍ／ｈでは、膨張式構造体１は、衝突の５メートル（０．５秒）前に作動させるだけでよい。膨張式構造体１の展開のためのこの支援は、歩行者、自転車乗り、または任意の他の障害物に対する車の相対位置が決定される自動化されたシステムによって実行される。
【００７５】
図１１および図１２は、歩行者および自転車を保護するために使用される膨張式構造体１０Ａの別の例を示す。
【００７６】
膨張式構造体１００は、いくつかの管状バッグ、この例では１４個のバッグから形成された、有利には、サイズ１４０×２２０ｃｍの主な構造体Ａと、主な構造体のすべての管状バッグ２を横切ってその上部に延在する単一管状膨張式構造体Ｂとを備える。有利には、主な構造体Ａのバッグは、長さ２２０ｃｍおよび直径６ｃｍを有し、一方、構造体Ｂを構成するバッグは、１４０ｃｍの長さおよび６ｃｍの直径を有する。
【００７７】
主な構造体Ａの管状バッグは、その材料の厚さ４ｃｍの接合領域によって横方向に接合される。上述したように、主な構造体Ａは、管状バッグ間の流体横方向連通を可能にする通気口が設けられたバッグを接続する接合領域を形成するように形成され、溶接された２つのキャンバスから作られる。
【００７８】
膨張式構造体１０Ａの頂部に配置された横断単一管状膨張式構造体Ｂの機能は、図１１に示すように、一連のバッグ２からなる保護アセンブリを「閉じる」ことである。これを行うために、追加のバッグは、１．４±０．２Ｐａ絶対圧の内部相対圧力下で円形に湾曲し、したがって、歩行者を車両上に保持するシェルとして働くように、可変厚さ（異方性厚さ）を有する。追加のバッグは、有利には膨張式構造体の本体の管状バッグのうちの少なくとも１つと流体連通している。また、別の構成によれば、自動化されたシステムまたは別の装置によって制御される独立したガス発生器と関連付けることもできる。
【００７９】
さらに、一方ではバッグ間のガスの分布を容易にし、他方では構造体を横方向に強化するために、発生器／バッグインターフェースとして横方向バッグを設けることができる。
【００８０】
膨張式構造体１００及び関連するガス発生器１１は、有利には、上述の例のように、車両５０の前部において、車両５０のバンパー５１に配置されたモジュール８に収容される（図１４）。直方体形状のモジュール８は、側壁１１と一体の頂壁９を有し、側壁１１は、図１４ｂに示されるように展開されると、膨張式構造体のための通路開口を形成するように前方に展開され得る。上側壁９及び側壁１１は、開放されたとき、膨張式構造体の前部の傾斜を与えることができるプラットフォームを構成する。モジュールは、都合のよいことに、バンパーレベルに配置され、地面から０．５ｍ未満の壁高さを有する。
【００８１】
膨張式構造体は、モジュールのプレート１２上に固定され、それ自体車両に固定される。このプレート１２は、この例示的な実施形態では、地面に対して３０°である膨張式構造体の初期傾斜（姿勢）を与えるのに役立つ。膨張式構造体は、２つの螺旋巻線１３、１４（義母の舌）に折り畳まれたモジュール内に配置され、一方の巻線１３はプレート１２によってガイドされて前方に展開するように意図され、プラットフォームはモジュールが開かれたときに生成され、他方の巻線１４はボンネットに向かって垂直に展開するように意図される。
【００８２】
有利には、プレート１２にヒンジを設けて、膨張式構造体の姿勢及びさらには向きさえも調整し、必要であれば、モジュールを前方に移動させるシリンダを設けることが可能である。このようなシリンダの存在は、車両の前部がトラック、バス、電車等のように垂直である場合に特に関連する。
【００８３】
記載された例では、ガス発生器が、構造体Ａ内の４つのバッグ、好ましくは中央に配置されたバッグを供給するように配置され、他のバッグはバッグ間に提供される連通を介して供給され、これらの４つのバッグの加圧は、構造体の軸方向の展開を確実にし、次いで、バッグ間の連通を介して徐々に横方向に展開する。
【００８４】
膨張式構造体Ｂの完全な展開は、歩行者が主構造体上に位置するときに保証される（図１２ａ）。歩行者が構造体Ａによって受け入れられると、膨張式構造体Ｂは閉じ、歩行者の軸方向の推力を抑制するように歩行者を取り囲む（図１２ｂ）。トリガは、例えば、最初のトリガに対する遅延によって、膨張式構造体に対する歩行者の圧力による圧力変動によって、または自動化されたシステムの視覚システムによって、トリガされ得る。
【００８５】
歩行者運動学は以下の通りである。
【００８６】
歩行者との衝撃が確実であると識別されると、自動化されたシステムは、歩行者が車両から１ｍの位置にあり、モジュールが地面から０．５ｍの位置にあり、バッグが車両の移動軸に対して３０°傾斜しており、非常ブレーキが既に作動しているときに作動するように、構造体Ａを膨張させるように指示する。しかしながら、状況および利用可能性に応じて、自動化されたシステムは、膨張式構造体の姿勢および方向を変更する可能性を有する。さらに、垂直前面を有する車両の場合、モジュールは、この目的のために設けられたシリンダによって前進させられる。
【００８７】
インパクト時の回転速度が３５ｋｍ／ｈの場合、膨張式構造体の実装時間は３００ｍｓとなり、車両の走行距離３ｍに相当する。したがって、歩行者が車両から４ｍ離れているときに、自動化されたシステムによって命令が与えられる。衝撃の間、歩行者は、膨張式構造体上を揺動し、頭部は、衝撃の１５０〜２００ｍｓ後に接触する。次に、構造体Ｂが展開される。車両の停止時間は約１秒である。膨張式構造体Ａは構造体Ｂと結合されたときに、車両／歩行者の速度差を消費し、歩行者を車両ボンネット上に保持するのに十分な粗さを有する。
【００８８】
図１３は、歩行者および自転車の保護のために実施される膨張式構造体１１０の別の例を示す。この例では、膨張式構造体は、３つの構造体、すなわち、２つの主な構造体（Ａ’およびＡ’’で示される。膨張式構造体１００の構造体Ａと同一。Ａ’およびＡ’’の寸法は、１１０×１４０ｃｍ）と、１つの構造体（Ｂ’で示される。膨張式構造体１００の構造体Ｂと同一）とを有する。
【００８９】
Ｕ字形エアバッグは、構造体Ａ’’を完成する。このバッグは、加圧によって構造体Ａ’’により大きな剛性を与える。バッグは、他のバッグから加圧されても、独立して加圧されてもよい。有利には、同じガス発生器が使用される。Ａ’ ’ ’のＵ字形バッグによって提供される剛性は、地上の人々を大事にすることを可能にする。それは、システムによって係合されてもされなくてもよい。
【００９０】
前の例におけるように、構造体Ａ’およびＡ’’は、湾曲した形状を有する膨張式構造体を得るために異方性であり得る。構造体Ａ’およびＡ’’’の上面はまた、下面に対して補強され得、使用される補強は、特定の領域に有利になるように調整され得る。同様に、構造体Ａ’およびＡ’’は、膨張可能な台形構造を画定するように構成することができる。
【００９１】
電子的に調整された通気口が、構造体Ａ’ ’から構造体Ａ’ を隔離する。構造体Ｃが最初にガス発生器を介して膨張され、次いで、公称圧力に達すると、調整された通気口が開き、構造体Ａ’ ’が膨張することを可能にする。通気口の開口は、初期トリップに対する遅延によって、所定の圧力閾値に達することによって、または自動化されたシステムの視覚システムによって生じ得る。
【００９２】
構造体Ａ’ ’ ’の一連の膨張は、１５０ｍｓかかる。この場合、構造体Ａ’および構造体Ｂ’の膨張は、以前の場合と同じであり、構造体Ｂ’は、インパクト後２００ｍｓで実行される。換言すれば、衝突速度が３５ｋｍ／ｈであり、膨張式構造体Ａ’ ’ ’の膨張時間が１５０ｍｓ（車両の走行距離１．５ｍに相当）であるとき、歩行者が車両から２．５ｍのところにいるときにガス発生器を作動させる命令が与えられる。したがって、この構成は、歩行者が、前述の場合における４ｍ（４００ｍｓ）と比較して、車両から２．５ｍ（２５０ｍｓ）にあるときに、システムを起動する決定を可能にする。なお、車速が５０ｋｍ／ｈであれば、前述の例では６ｍ、本例では３．５ｍで、加圧の起動がトリガされる。
【００９３】
車両の相対速度および車両の位置に応じて、自動化されたシステムは、車両内部の膨張式構造体を作動させることもできる。
【００９４】
図１５ａおよび１５ｂは、車両の乗員を保護するために使用される膨張式構造体１０の例を示す。これを行うために、膨張式構造体１０及びガス発生器（図示せず）は、シート５２に一体化される。シート５２は、車両特有のシート５０、またはチャイルドシートなどの取り付けられたシートとすることができる。
【００９５】
図示の実施形態では、膨張式構造体１０が、展開位置でそれぞれ円弧の形状をとる２つの一連のバッグ２から構成される。膨張式歩行者保護構造体１０と同様に、各一連のバッグ２は、横方向に組み立てられ、互いに流体連通している。各一連のバッグ２は、シート５２の背もたれの一方の側に配置され、フック（図１６）または他のものと関連した磁石のような取付け具６の往復手段を含み、膨張式構成体１０が展開位置にあるときに２つの一連のバッグ２が互いに固定されることを可能にする。所与の例示的な実施形態によれば、バッグ２は、展開位置において、直径６ｃｍ、長さ１．２ｍの管状形状を有する。必要な容量は、約１０リットルである。発生器は、噴射剤のみで作ることができる。
【００９６】
２つの一連のバッグ２は、車両５０のシート５２に配置され、互いに対して展開し、シート５２に着座した乗客の周りに延びるアーチ状の保護エンベロープを形成する。したがって、それらは、カーテンタイプの保護を規定する。管の間の厚さまたは距離の間隙を通して、円弧の形状を必要に応じて調整することができる。
【００９７】
特定の例示的な実施形態によれば、各一連のバッグは、直径６ｃｍおよび長さ６０ｃｍを有する１０個のバッグからなる。各一連のバッグは、図３ｂおよび図３ｄに示される例に従って作られ、バッグは、流体連通のための通気口を形成するために不連続に組み立てられた２つの生地のストリップから構成される。生地予備成形バッグのストリップのうちの１つは、加圧されたときに円弧に発展するのに十分密接しており、バッグ間の通気口は、膨張式構造体を乗客に対して保持するために、連続するバッグの漸進的な膨張を確実にする。有利には、単一の発生器が両方の構造体の加圧を確実にする。
【００９８】
一連のバッグが一緒にフックされることを可能にするために、バッグの展開における遅延が計画される。したがって、一連のバッグの１つ（好ましくは乗客に最も近い一連のバッグ）は、最初に、他の一連と比較して数十ｍｓの遅延で展開する。
【００９９】
吊り下げ面（例えば、図１６に示されるようなフックに関連する磁石）は、一連の１つのバッグ上に展開され、一方、他の一連のバッグ上では、対応する吊り下げ面が内側に提供される。内側とは、膨張式構造体によって保護された乗客に面する側を指す。
【０１００】
このような膨張式構造体と共に有利に使用されるガス発生器は、以下の表に定義される特性を有する。
【０１０１】
【表２】
2020518516.tif 000004
【０１０２】
また、乗客のためのネックブレースを形成するために、上部のバッグの体積を増加させることも可能である。例えば、バッグは、上端にローブ形状を有していてもよい。同じ目的のために、１つまたは２つの追加のバッグを設置することも可能である。また、乗客の頭部を支持するために、膨張可能物を６０ｃｍから８０ｃｍまたは１２０ｃｍに増加させることも可能である。
【０１０３】
別の構成によれば、上胸部および頭部を支持するために、上側部分（おそらくヘッドレスト上）に展開するように配置された、前述のものと同一の第２の膨張式構造体を設けることもできる。
【０１０４】
また、必要に応じて加圧時間を短縮することもできる。
【０１０５】
車両の乗員を保護するために、カーテンエアバッグ、フロント膨張式エアバッグなどの、同様の膨張式構造体を設けることもできる。長時間生成器でそれらを加圧する利点は、それらを非積極的に展開させることができ、膨張時間、したがって効率を数秒に増大させることができることである。
【０１０６】
特に、カーテンエアバッグは、側方衝撃の場合に乗客を保護する。自動化されたシステムは、衝撃を予想することを可能にする。有利な構成によれば、７０×１４０ｃｍの寸法の膨張可能なカーテン構造は、長さ１４０ｃｍ、直径６ｃｍの７つの管状バッグを含む。管状バッグは、それらの材料を構成する４ｃｍの接合領域によって組み立てられる。上記設計は、歩行者保護のために使用される膨張式構造体の設計と同一である。
【０１０７】
例えば、３００ｍｓの動作時間に対して、ガス発生器は以下の特性を有する。
【０１０８】
【表３】
2020518516.tif 000005
【０１０９】
したがって、このようなガス発生器は、約２秒の膨張式構造体の効率持続時間を保証する。
【０１１０】
現在の形態の６０ｌおよび１１０ｌの体積を有するフロントエアバッグの長時間の膨張は、「位置ずれ」の人（エアバッグに近すぎる、エアバッグから遠すぎる）の危険性を回避するか、または強く制限する。漸進的な展開は、エアバッグの攻撃性を制限する。さらに、それは密封されているので、エアバッグから離れた乗客にとってその効率窓は非常に広い。それは、上述した全ての種類の物質の使用を可能にする。自動化されたシステムによって制御される通気口は、位置、人の形態、及び車両の運動学にしたがって収縮を最適化する。
【０１１１】
フロント緩衝器が作動されると、バッグは障害物との最初の接触時に展開され、乗客／車両の連結を確実にし、車両が停止してはじめて収縮が生じる。
【０１１２】
膨張式構造体は、また、正面乗客構成のために提供されることができる。膨張式構造体は、その長さよりも短い距離にわたって両端でブロックされ、曲がり、緩衝器を提供する。有利な構成では、膨張式正面乗客構造体は、直径６ｃｍ、長さ１．２ｍの５つの管状バッグからなり、バッグは４ｃｍ離され、８０ｃｍの長さにわたってブロックされる。膨張式構造体は、膨張によって４０ｃｍの半径を有する円弧を形成する。１１０ｌの乗客用バッグと比較して、バッグの容積は１３リットルであり、すなわち、活性成分の質量は、現在のソリューションよりも１０倍低い。
【０１１３】
【表４】
2020518516.tif 000006
【０１１４】
バッグを含む幅の広いメッシュの生地マトリックスを有する膨張式構造体は、この用途に特に適している。これは爆風効果を制限する。大きなメッシュとは、１〜１０ｍｍのメッシュである。
【０１１５】
この膨張式構造体は、ハンドルが外れている場合には、車両の両方のフロントシートに有利に適合され、ハンドルが維持されている場合には、ハンドルに適合される。
【０１１６】
座席背もたれの一方の側に配置された２つの一連のバッグ２の代わりに、側方衝撃の場合に横方向保護を提供するように座席の片側に一体化された管状形状を作ることができる単一のバッグを設けることもできる。
【０１１７】
シートエアバッグは、チャイルドシートの子供を保護すべきであるが、子供を保護する場合には、シートバックの一方の側に配置された２組のバッグ２、ラップベルト、または膨張式タブレットと置き換えて設けることもできる。
【０１１８】
車両５０の乗員の保護を改善するために、保護システムは、エネルギー吸収体器と結合されたシートの頂部にストラップをロックするためのシステムを含んでいてもよい。エネルギー吸収体器の特性は、自動化されたシステムによって、シート上に着席しており、このシステムによって識別される乗員の形態に従って調整することができる。
【０１１９】
有利には、一体化された膨張式構造体１０に加えて、シートは前方または後方衝撃の吸収に寄与するように軸方向に移動可能であるように構成される。
【０１２０】
他の保護要素を設けることもできる。
【０１２１】
正面衝突の場合に車両５０の乗員を保護する場合、ハンドルが保持されているか否かに応じて２つのタイプの保護が提供される。
【０１２２】
ハンドルが保持されているとき、膨張式構造体は、例えばナイロンまたはゾディアックタイプの古典的な形状を有する６０リットルの密封されたバッグであり、車両が停止して乗員が減速するときに、通気口が圧力（カバー）によって、または自動化されたシステムによって電子的にバッグの収縮を調整する。
【０１２３】
制御された通気口のこの調整は、衝突速度を減少させるために車両がその緩衝器を使用し、乗員が対応する減速から便益を得、次いで車両が停止されたときにバッグの収縮を使用する場合に、特に関連する。
【０１２４】
ハンドルが保持されていない場合、直径６ｃｍ、長さ１．２ｍ、間隔３ｃｍの６つの管状バッグ２からなる膨張式構造体を設け、ダッシュボード上に配置することができる。使用されるガス発生器の特性は、好ましくは以下の表に示されるものである。
【０１２５】
【表５】
2020518516.tif 000007
【０１２６】
あるいは、２つの膨張式構造体（一方は運転者側に、他方は乗客側に）が、６つのバッグ２からなる膨張式構造体の代替物として提供され得、これらのバッグは、関連する発生器が作動されたときに円弧状に展開するように、その長さ未満の距離にわたってロックされる。例示的な実施形態によれば、各膨張式構造体は、長さ０．６ｍおよび直径６ｃｍの６つの管状バッグ２からなる。それらは、有利には、０．４ｍの距離に配置される。使用されるガス発生器の特性は、好ましくは以下の表に示されるものである。
【０１２７】
【表６】
2020518516.tif 000008
【０１２８】
車両乗員の保護を改善するために、自動化されたシステムは、車両５０のフロントバンパーおよび／またはリアバンパーのうちの少なくとも１つと車両の固定部分との間に配置された１つまたは複数の緩衝器を作動させて、衝突速度を低減することもできる。より具体的には、自動化されたシステムは、緩衝器（複数可）を作動させるシリンダを起動することを可能にする。したがって、車両バンパーは、有利には、３０〜５０ｃｍの範囲で、初期位置から軸方向に変位され、緩衝器が車両バンパーを車両の固定された前部および後部に接続する。自動化されたシステムは、衝撃時に、衝撃の激しさが、固定された障害物に対する６０ｋｍ／ｈの衝撃よりも小さくなるように、緩衝器の剛性を調整する。車速を１２０ｋｍ／ｈから６０ｋｍ／ｈに４０ｃｍ以上減速するためには、減速は、乗客の速度を６０ｋｍ／ｈから０に減速するのに必要なものと同程度である。したがって、自動化されたシステムのおかげで、事故の予想は、人々のより良い保護を可能にする。同様に、激しい後方の衝撃が起こると、前方位置にいる乗客に「むち打ち」を引き起こす。後方の緩衝器の目的は、衝突速度を低減することである。自動化されたシステムは、車両内外の実際の状況を考慮に入れなければならない。それらの作動は、例外的な事故重大度の場合に限定される。緩衝器の取り付けに必要な火工品の充填は、プレテンショナーのそれに近い（０．５〜３ｇ）。
〔ガス発生器〕
ガス発生器は、膨張式構造体の膨張の全持続時間が５０ミリ秒よりも長くなるような期間にわたってガスを発生させるように構成される。
【０１２９】
このような期間にわたる膨張の実現は、国際公開第０１／８９８８５号に記載されているガス発生器のような、いわゆる一次およびいわゆる二次充填物をそれぞれ有する二重チャンバ生成器を介して得ることができる。従って、有利には、一次充填物が均質または複合噴射剤からなり、二次充填物は硝酸アンモニウム／硝酸グアニジンのような酸化還元混合物からなる。ガス発生時間は、０．０５〜２．５ｓであり、ガス体積は、わずか１モル〜４モルであり、発生器内のガス温度は、１５００Ｋ〜６００Ｋである。もちろん、持続時間および体積は、これらの引用された値のみに限定されない。
【０１３０】
有利には、複合噴射剤が、過塩素酸アンモニウム又はＡＤＮ（重クロム酸アンモニウム）からなる酸化充填物を有するブタランタイプであり、二次充填物の硝酸アンモニウムは、全体的に又は一部がＡＤＮで置き換えられる。
【０１３１】
例えば、ドライバを保護することを意図した６０リットルの膨張式構造体（シングルバッグからなる構造体）の膨張のために、一次充填物は、ダブルベース１１３３噴射剤であり、排気チャンバは、他の２つのチャンバの下流にある。グリッドまたはプレートの中心孔の表面は、外周に分布している。充填物組成および発生器特性の一例を以下の表に示す。
【０１３２】
【表７】
2020518516.tif 000009
【０１３３】
【表８】
2020518516.tif 000010
【０１３４】
保護を目的とした１１０リットルの膨張式構造体の膨張のために、下記の表に示された特性および充填物の組成を有する発生器を備えることが有利である。
【０１３５】
【表９】
2020518516.tif 000011
【０１３６】
【表１０】
2020518516.tif 000012
【０１３７】
６０リットルの膨張式構造体であれ、１１０リットルの膨張式構造体であれ、選択される材料は、圧力の影響下でほとんど膨張しない材料である。例えば、ナイロンであってもよい。膨張式構造体が密封されているので、乗員が減速するときに、バッグの収縮を調節し、それによって乗員の運動エネルギーを吸収するために通気孔が設けられることが有利である。この通気口は、所定の圧力でのみ開くように密封されるか、または自動化されたシステム（受動安全強化システム）によって制御される。制御された通気口のこの調整は、車両が衝突速度を減少させるためにその緩衝器を使用し、乗員が対応する減速から便益を得、次いで車両が停止されたときにバッグの収縮を使用する場合に、特に関連する。
【０１３８】
２つのナイロンバッグは、Ｚｏｄｉａｃ（登録商標）膨張式ボートなどの膨張可能なＰＶＣ構造体に置き換えることができる。６０リットルの膨張式構造体を膨張させるための発生器の充填物の組成および特性の一例を以下の表に示す。
【０１３９】
【表１１】
2020518516.tif 000013
【０１４０】
【表１２】
2020518516.tif 000014
【０１４１】
５０ミリ秒を超える期間にわたるガス発生は、二次充填物のみを介して達成することもできる。この場合、一次充填物を含むチャンバは、国際公開第２０１０１０１０３２３１号に記載されているような付勢装置に置き換えられる。このタイプの装置は、二次充填物が低質量である場合、または発生器が特に熱応力を受ける車両５０の領域にある場合に、特に興味深い。例えば、インパルス供給は、５０ｍＦコンデンサバンクの２５０ボルト未満の電荷に基づく。それは、５０００アンペアのピーク値を有する数ｍｓの電流波を生成する。第２のキャパシタバンクは、所望の遅延の後に第２のパルスを可能にする。さらに、この装置は、ガスの発生を時間的に調整することを可能にする。
【０１４２】
このような発生器を用いて、ドライバ（シングルバッグからなる構造体）を保護することを意図した６０リットルの膨張式構造体を膨張させるために、二次充填物は、１８ｇのリーゲル（Ｒｉｅｇｅｌ）からなる。インパルス供給は、５０ｍＦ（ミリファラッド）コンデンサバンクの２５０ボルト未満の電荷に基づく。それは、５，０００アンペアのピーク値を有する数ｍｓの電流波を生成する。第２のキャパシタバンクは、所望の遅延の後に第２のパルスを可能にする。バッグは、上述のように、ナイロン４．４型またはＰＶＣ型のいずれかである。
【０１４３】
５０ミリ秒を超える期間にわたるガス発生はまた、特に３ｇ未満の充填物について、一次充填物のみを有する密封された２バッグを介して達成され得る。
【０１４４】
ガス発生は、圧縮ガスによって完全に又は部分的に達成することもできる。
【０１４５】
シリンダ用のガス発生器は、安全ベルトのプリテンショナのために、または前部／後部緩衝器の活性化のために設けることもできる。
【０１４６】
シートベルトプリテンショナまたは前部／後部緩衝器を作動させるために使用されるシリンダ発生器の一例は、以下の特徴を有する２室発生器である。
【０１４７】
【表１３】
2020518516.tif 000015
【０１４８】
この例による発生器は、１１３３粒子または複合噴射剤を含有する開始剤、および、粉砕されているか否かにかかわらず、プリル状のＮＡを含有するこの第１の構成要素の外側の小さな密閉ボックスとして提示される。最後に、２つの構成要素は、プリテンショナシリンダヘッドに組み付けられる。必要に応じて、全充填物を１．２ｇ以上に増加させることができる。
【０１４９】
上記の必要性の全てに使用することができる発生器の別の例は、均質または複合噴射剤が充填された単一の一次チャンバ発生器である。
【０１５０】
有利には、複合噴射剤の酸化充填物は、主にＡＤＮ（重クロム酸アンモニウム）からなる。
【０１５１】
上記の必要性の全てに使用することができる発生器の別の例は、単一の二次充填物が酸化および還元充填物からなる、１つだけの二次チャンバを有する発生器である。後者は、付勢装置によって作動される。
【０１５２】
有利には、酸化充填物は、主にＡＤＮ（重クロム酸アンモニウム）を含有する。
【０１５３】
上述の例は、自動車に関連して提示されている。もちろん、本発明に基づく保護システムは、自動車での実施に限定されないことは明らかである。本発明は、任意の他の車両および移動構成要素に適用することができる。特に、上述したように、歩行者／自転車保護システムを公道上のトラックおよび路面電車に装備することを計画することができる。同様に、運転支援システムを装備した自動二輪車を提供することができ、これが、所与の状況に適合した保護システムを画定し実施する。この目的のために、膨張式構造体が、ドライバによって直接運ぶか、または自動二輪車のハンドル上に配置されるかのいずれかで提供される。衝撃中に後者が放出した場合に、オートバイ運転者自身が運ぶシェル型の包囲膨張式構造体を提供することも可能である。
【０１５４】
以上、本発明を例として説明した。当業者は、本発明の範囲から逸脱することなく、本発明の異なる代替実施形態を作成することができることを理解されたい。
【図１】
2020518516.tif 000016
【図２】
2020518516.tif 000017
【図３ａ】
2020518516.tif 000018
【図３ｂ】
2020518516.tif 000019
【図３ｃ】
2020518516.tif 000020
【図３ｄ】
2020518516.tif 000021
【図４ａ】
2020518516.tif 000022
【図４ｂ】
2020518516.tif 000023
【図５】
2020518516.tif 000024
【図６】
2020518516.tif 000025
【図７】
2020518516.tif 000026
【図８】
2020518516.tif 000027
【図９】
2020518516.tif 000028
【図１０】
2020518516.tif 000029
【図１１】
2020518516.tif 000030
【図１２ａ】
2020518516.tif 000031
【図１２ｂ】
2020518516.tif 000032
【図１３】
2020518516.tif 000033
【図１４ａ】
2020518516.tif 000034
【図１４ｂ】
2020518516.tif 000035
【図１５ａ】
2020518516.tif 000036
【図１５ｂ】
2020518516.tif 000037
【図１６】
2020518516.tif 000038
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
車両または移動性構成要素のための保護システムであって、
車両（５０）または移動性構成要素に装備され、外部制御によって作動させることができる少なくとも１つのガス発生器に関連する少なくとも１つの膨張式安全構造体（１、１０、１００、１１０）を備える複数の保護装置と、
車両（５０）または移動性構成要素の重要な安全機能を制御する役割を担う自動化されたシステムと、を含み、
前記外部制御は、前記自動化されたシステムからの、衝撃の予測情報に対応する電気信号を含み、
（ａ）前記自動化されたシステムは、前記衝撃の前及び衝撃の間に受信された情報に基づいて、膨張式構造体の作動を、単独で、又は車両若しくは移動性構成要素の他の複数の保護装置と組み合わせて、適時に制御するように構成されており、
（ｂ）前記ガス発生器は、膨張式構造体の膨張の全持続時間が５０ミリ秒よりも長くなるような期間にわたってガスを発生させるように構成されており、
ｃ）前記膨張式構造体（１、１０、１００、１１０）は、密封されている、ことを特徴とする保護システム。
【請求項２】
前記膨張式構造体は、少なくとも１つの圧力調整された通気口を備えるか、または前記構造体の収縮を調整する前記自動化されたシステムによって電子的に調整されることを特徴とする、請求項１に記載の保護システム。
【請求項３】
前記膨張式構造体（１、１０、１００、１１０）は、配置位置において管状形状をとる少なくとも１つの一連のバッグ（２）からなり、前記バッグ（２）は、横方向に組み立てられ、互いに流体連通していることを特徴とする、請求項１または２に記載の保護システム。
【請求項４】
前記自動化されたシステムによって調整される１つ以上の通気口によって流体連通が提供されることを特徴とする、請求項３に記載の保護システム。
【請求項５】
前記バッグ（２）が母線にしたがって組み立てられ、前記バッグ（２）間の距離が前記バッグ（２）の直径よりも小さいことを特徴とする、請求項３または４に記載の保護システム。
【請求項６】
前記膨張式構造体（１、１０、１００、１１０）が、２つのキャンバスから作られ、母線に沿って溶接された少なくとも１つの一連のバッグ（２）からなることを特徴とする、請求項１〜５のいずれか１項に記載の保護システム。
【請求項７】
前記膨張式構造体（１、１０、１００、１１０）が、前記アセンブリの一端において前記一連の管状バッグに対して横方向に延在する、配置位置において管状形状をとる補強バッグをさらに備えることを特徴とする、請求項３〜６のいずれか１項に記載の保護システム。
【請求項８】
前記膨張式構造体（１、１０、１００、１１０）が、配置位置で管状形状をとり、前記アセンブリの他端あるいはモジュール内のガス発生器で前記一連の管状バッグに対して横方向に延在する追加の保護バッグを備えることを特徴とする、請求項３〜７のいずれか１項に記載の保護システム。
【請求項９】
補強バッグ（３）および／または追加の保護バッグが、前記一連の管状バッグの少なくとも１つと流体連通し、前記流体連通は、必要であれば、自動化されたシステムによって調節される複数の通気口によって保証されることを特徴とする、請求項７または８に記載の保護システム。
【請求項１０】
前記バッグが、前記膨張式構造体の形状を確保する布地マトリックス内に収容されることを特徴とする、請求項３〜９のいずれか１項に記載の保護システム。
【請求項１１】
前記バッグの全部または一部が母線に沿って異方性厚さを有することを特徴とする請求項３〜１０のいずれか１項に記載の保護システム。
【請求項１２】
前記膨張式構造体（１、１０、１００、１１０）および前記ガス発生器が、前記車両（５０）の前部に配置されたモジュール内で調整され、前記膨張式構造体が前記車両（５０）の正面に向かって部分的に延在して、人が前記車両（５０、１００、１１０）と直接接触することを回避するように配置されることを特徴とする、請求項１〜１１のいずれか１項に記載の保護システム。
【請求項１３】
前記車両（５０）の前部に配置された前記モジュールは、前記自動化されたシステムが向き、トリム、および軸方向位置を変更することを可能にする関節式装置上に配置されることを特徴とする請求項１２に記載の保護システム。
【請求項１４】
自動化されたシステムが、車両外部の人との衝撃が予測される場合に、前記様々な通気口（１つまたは複数）の前記膨張式構造体（１、１０、１００、１１０）の加圧を作動させて、前記膨張式構造体（１、１０、１００、１１０）の特性を衝撃特性に調整するように構成されることを特徴とする、請求項１〜１３のいずれか１項に記載の保護システム。
【請求項１５】
前記膨張式構成体（１、１０、１００、１１０）が、配置位置において円の管状円弧の形をとる２つの一連のバッグ（２）からなり、各一連のバッグ（２）が、横方向に組み立てられ、互いに流体連通し、各一連のバッグ（２）が、車両（５０）のシートおよび／またはヘッドレストの一方の側で一体化され、往復固定手段（６）を備えることを特徴とする、請求項１〜１４のいずれか１項に記載の保護システム。
【請求項１６】
前記膨張式構造体（１、１０）が、正面に衝撃があった場合に運転者または乗客を保護するための単一のバッグと、少なくとも１つの調整された通気口とからなることを特徴とする、請求項１〜１５のいずれか１項に記載の保護システム。
【請求項１７】
前記膨張式構造体（１、１０、１００、１１０）が一連のバッグからなり、前記一連のバッグの端部は、正面に衝撃があった場合に運転者または乗客を保護するために、ダッシュボードに、その長さよりも短い距離で固定されることを特徴とする、請求項１〜１６のいずれか１項に記載の保護システム。
【請求項１８】
前記膨張式構造体（１、１０、１００、１１０）が、天然または合成ゴム、ネオプレンまたはシリコーンでコーティングされたナイロン６Ｘ６、ポリウレタンで作られていることを特徴とする、請求項１〜１７のいずれか１項に記載の保護システム。
【請求項１９】
シリンダによって作動され、前記車両（５０）のバンパーの少なくとも１つと前記車両（５０）の固定部分との間に配置され、前記シリンダが前記自動化されたシステムによって制御される、少なくとも１つの緩衝器を備えることを特徴とする、請求項１〜１８のいずれか１項に記載の保護システム。
【請求項２０】
前記自動化されたシステムによって吸収力が制御される少なくとも１つの緩衝器を備えることを特徴とする、請求項１〜１９のいずれか１項に記載の保護システム。
【請求項２１】
前記自動化されたシステムによって作動され、５０ミリ秒を超える期間作動されることができる少なくとも１つのシートベルトプリテンショナを備えることを特徴とする、請求項１〜２０のいずれか１項に記載の保護システム。
【請求項２２】
前記保護システムが、前記シートに座っており、前記自動化されたシステムによって識別されることができる乗客の形態に応じて特性を調整することができる複数のエネルギー吸収体器と結合された前記シートの上部で複数のストラップをブロックするためのシステムを備えることを特徴とする、請求項１〜２１のいずれか１項に記載の保護システム。
【請求項２３】
前記自動化されたシステムが、１つまたは複数の膨張式構造体（１、１０、１００、１１０）を選択し、確立された予測情報にしたがって、前記構造体（１つまたは複数）、前記緩衝器のうちの少なくとも１つ、および／または前記シートベルトプリテンショナのうちの少なくとも１つに設けられる通気口（１つまたは複数）を制御するように構成されることを特徴とする、請求項１〜２２のいずれか１項に記載の保護システム。
【請求項２４】
前記個々の起動システムは、それらをリアルタイムでチェックするバスシステムによって接続されていることを特徴とする、請求項１〜２３のいずれか１項に記載の保護システム。
【請求項２５】
前記ガス発生器が、均質または複合固体噴射剤を収容する第１のチャンバと、少なくとも１つの酸化充填物と少なくとも１つの還元充填物との混合物からなる第２の組成物を収容する第２のチャンバとを備え、前記固体噴射剤がブロックを形成し、その濃度および化学的特性が、５０ミリ秒を超える時間での完全燃焼を保証するように調整されることを特徴とする、請求項１から２４のいずれか１項に記載の保護システム。
【請求項２６】
前記複合噴射剤が、主に重クロム酸アンモニウム（ＡＤＮ）からなる酸化充填物を有し、前記第２の組成物の酸化充填物が、主にＡＤＮからなることを特徴とする、請求項１〜２５のいずれか１項に記載の保護システム。
【請求項２７】
前記ガス発生器が、唯一の組成物として、５０ミリ秒を超える時間での完全燃焼を保証するように衝撃特性が調整された均質または複合噴射剤を含むことを特徴とする、請求項１〜２６のいずれか１項に記載の保護システム。
【請求項２８】
前記複合噴射剤が、主に重クロム酸アンモニウム（ＡＤＮ）からなる酸化充填物を有することを特徴とする、請求項１〜２７のいずれか１項に記載の保護システム。
【請求項２９】
前記ガス発生器が、少なくとも１つの酸化充填物と少なくとも１つの還元充填物との混合物からなる単一の組成物を含み、その分解が、５０ミリ秒を超える時間での完全なガス発生を保証するように構成された付勢装置によって制御されることを特徴とする、請求項１〜２８のいずれか１項に記載の保護システム。
【請求項３０】
前記酸化充填物が主に重クロム酸アンモニウムからなることを特徴とする、請求項１〜２９のいずれか１項に記載の保護システム。
【請求項３１】
単独でまたは前記ガス発生器に加えて使用することができる圧縮気体を発生させるための手段を含むことを特徴とする、請求項１〜３０のいずれか１項に記載の保護システム。
【請求項３２】
前記膨張式構造体の膨張の全持続時間が１００ミリ秒よりも長くなるような期間にわたってガスを発生させるように構成されていることを特徴とする、請求項１〜３１のいずれか１項に記載の保護システム。
【国際調査報告】
2020518516.tif 000039
2020518516.tif 000040
2020518516.tif 000041
2020518516.tif 000042
2020518516.tif 000043
2020518516.tif 000044